(57)【要約】      （修正有）【課題】歩行困難な高齢者等が、車椅子に座ったまま緊急に用が足せて、洗浄装置が簡単で、安全で、且つ、軽い睡眠までとれる機能を備えたウオッシュレットポ−タブルトイレ付きリクライニング車椅子を提供する。【解決手段】本考案は、車椅子の座部に洋式トイレの便座を設け、その裏側にポリエチレン袋製汚物入れを装着してポ−タブルトイレとする。左右の肘掛けにビニ−ル製蛇腹式給湯ポンプを取り付け、その中に温湯を入れ、給湯ポンプの先に連結したステンレス管を通して温湯を噴出させてウオッシュレットとする。車椅子の背もたれに、別に用意した頭部面を増設して倒し、脚乗せ台も増設してリクライニング車椅子とする。【選択図】図１
0003128711.tif 000002
【実用新案登録請求の範囲】
【請求項１】
ウオッシュレットポータブルトイレ付きリクライニング車椅子に於いて
（  １）車椅子の座部に洋式トイレの便座を設置。
（  ２）便座に被せるように蓋をして、通常の座る位置。
（  ３）便座の裏側に、ポリエチレン袋製汚物入れを、車椅子後部より装着。
（  ４）車椅子の左右の肘掛け部分に、ウオッシュレットとして湯を送り出すポンプとなるためのビニ−ル製の蛇腹式容器を設置。
（  ５）ビニ−ル製蛇腹式容器は上部に温湯の入れ口と、下部に温湯の出口を設置。
（  ６）ビニ−ル製蛇腹式容器の下部に連結して、ウオッシュレットとしての温湯の噴射用通路となるステンレス管を設置。
（  ７）ウオッシュレットとして使用時は、（  ６）は、便座の中心に移動が可。
（  ８）ウオッシュレットとして不使用時は、（  ６）は、便座の下の前方、又は後方の見えない位置に移動が可。
（  ９）ステンレス管を動かすには、ビニ−ル製蛇腹式容器部分を握って操作。
（１０）リクライニング時には、延長背当てを、車椅子の背当てに装着。
（１１）リクライニング時には、車椅子の足乗せ台を立て、脚部台として装着。
以上からなるウオッシュレットポータブルトイレ付きリクライニング車椅子。
【考案の詳細な説明】
【技術分野】
【０００１】  本考案は、歩行困難な老人等が、車椅子として座ったまま緊急に大小便の用が足せて、衛生が保たれ、汚物の処理が簡単で、且つ、軽い睡眠がとれるという多機能を備えた介護福祉機器である。
【背景技術】
【０００２】  車椅子は歩行を補助する機能を備えている。ポータブルトイレは排泄を身近かに行える。ウオッシュレットは電源を要するので、移動は出来ないが清潔が保てる。ベッドは可動性に乏しいが休める。これらはそれぞれの分野において独立して重要な役目を果たしている。【０００３】  車椅子、ポータブルトイレ、ウオッシュレット、ベッドの４つの機能を一つの車椅子に取り込み、簡単に使える介護機器は見当たらない。
【考案の開示】
【考案が解決しようとする課題】
【０００４】  歩行困難な高齢者等においては、生きている根本である排泄に関わる事が最大の懸念事項である。介護福祉事業が行き届きつつあるが、介護される立場の者も、介護する立場の者も排泄にかかわる悩みは深く、なかなか解決されない。老人において、おむつをあてがうことは痴呆にも繋がる。おむつを嫌がる老人等が車椅子に座ったまま緊急に用が足せて、装置が簡単で、安全で、且つ、軽い睡眠までとれる機能を備えた車椅子は必要不可欠である。
【課題を解決しようとするための手段】
【０００５】  本考案は、車椅子の座部に洋式トイレの便座を設ける。その裏側にポリエチレン袋製汚物入れを装着する。左右の肘掛けに蛇腹式給湯ポンプを取り付け、その中に温湯を入れ、給湯ポンプ先に連結したステンレス管を通して噴射して、洗浄に供することができる。車椅子の背当て部分を倒して軽い睡眠が取れる。このような多機能を一つの機器に備えた介護機器を提供する。
【考案の効果】
【０００６】  本考案の車椅子は歩行を補助する機能を備えている。設置したポータブルトイレは排泄を行える。ウオッシュレットは電源を要せず、手動で温湯を管を通して送れる。リクライニング背当ては後ろに倒し軽い睡眠が取れる。以上の４つの機能を果たせることは、高齢者等においては安心感が持てる。
【考案を実施するための最良の形態】
【０００７】  車椅子の座部に洋式トイレの便座を設ける。通常はその上に蓋をして車椅子として座して使用する。蓋は取り外しの出来るはめ込み式とする。【０００８】  便座の裏側にポリエチレン袋製汚物入れを装着する。装着は車椅子の後ろ側からはめ込む。ポリエチレン袋製汚物入れは使用毎に介護者が廃棄する。【０００９】  車椅子の左右の肘掛け部分にそれぞれ、ビニ−ル製の蛇腹式容器を設置する。その蛇腹式容器の上部に温湯の入れ口を、その下部に噴出口を設け、ウオッシュレット用のビニ−ル製蛇腹式給湯ポンプとする。この蛇腹を圧縮して下部の噴出口に温湯を送る。【００１０】  蛇腹式給湯ポンプの先に噴出用ステンレス管を繋ぎ、温湯を噴出してウオシュレットとして用する。【００１１】  ステンレス管は、ウオッシュレットとして使用時は便座の中心に移動させて作用する。【００１２】  ステンレス管は、ウオッシュレットとして不使用時は便座下の見えない位置に移動させて汚れを避ける。【００１３】  ステンレス管の移動には蛇腹式給湯ポンプを握って移動させる。【００１４】  蛇腹式給湯ポンプは温湯を出しきった後は送風器にもなり、乾かすことに利用出来る。【００１５】  後部背当てに、はめ込み式に延長背当てを取り付け、後ろに倒し、寝る時の頭部とする。【００１６】  車椅子の足乗せ台を立て、はめ込み式に脚部を取り付け、寝る時に足を乗せる。
【産業上の利用可能性】
【００１７】  自分では歩けないが、おむつも付けたくない歩行困難者は高齢社会の到来とともに増える。少しでも自立に近い状態で生理現象を身近かに処理することは精神衛生上必要なことである。また、介護者の手数を少なくするためにも役に立つ。４つの機能を持った本考案のウオシュレットポータブルトイレ付きリクライニング車椅子は利用可能性が大きい。
【図面の簡単な説明】
【図１】ウオシュレットポータブルトイレ付きリクライニング車椅子の前面図
【図２】ウオシュレットポータブルトイレ付きリクライニング車椅子の後面図
【図３】ポリエチレン袋製汚物入れ
【図４】ウオシュレットポータブルトイレ付きリクライニング車椅子で寝る時の図
【符号の説明】
１洋式トイレの便座
２蛇腹式給湯ポンプ
３ポリエチレン袋製汚物入れ
４はめ込み式延長背当て
５はめ込み式脚部
６はめ込み式蓋付き座部
７足乗せ台
【図１】
0003128711.tif 000003
【図２】
0003128711.tif 000004
【図３】
0003128711.tif 000005
【図４】
0003128711.tif 000006
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
簡単洗浄器付きポータブルトイレ内臓リクライニング車椅子に於いて
（  １）車椅子の座部に洋式トイレの便座を設置。
（  ２）便座に被せるように蓋をして、座る椅子。
（  ３）便座の裏側に、汚物入れとして取替え用ポリエチレン袋を、車椅子後部より装着。
（  ４）車椅子の左右の肘掛け部分に、簡単洗浄器としての温湯を送り出すためのポンプとなるビニ−ル製の蛇腹式容器を設置。
（  ５）ビニ−ル製蛇腹式容器は上部に温湯の入れ口と、下部に温湯の出口を設置。
（  ６）ビニ−ル製蛇腹式容器の下部の温湯の出口に連結して、簡単洗浄器としての温湯の噴射用通路となるステンレス管を設置。
（  ７）簡単洗浄器として使用時は、ステンレス管は、便座の中心に移動が可。
（  ８）簡単洗浄器として不使用時は、ステンレス管は、便座の端の方の見えない位置に移動が可。
（  ９）ステンレス管を動かすには、ビニ−ル製蛇腹式容器部分を握って操作。
（１０）リクライニング時には、延長背当てを、車椅子の背当てから延長し装着。
（１１）リクライニング時には、車椅子の足乗せ台を立て、脚部台を被せて装着。
以上からなる簡単洗浄器付きポータブルトイレ内臓リクライニング車椅子。
【手続補正２】
【補正対象書類名】明細書
【補正対象項目名】全文
【補正方法】変更
【補正の内容】
【考案の詳細な説明】
【技術分野】
【０００１】  本考案は、歩行困難になった高齢者等が、緊急時に、車椅子として座ったまま大小便の用が足せて、衛生が保たれ、汚物の処理が簡単で、且つ、軽い睡眠がとれるという多機能を備えた介護福祉機器である。
【背景技術】
【０００２】  車椅子は歩行を補助する機能を備えている。ポータブルトイレは排泄を身近かに行える。簡単洗浄器は清潔が保たれる。ベッドは可動性に乏しいが休める。これらはそれぞれの分野において独立して重要な役目を果たしている。【０００３】  車椅子、ポータブルトイレ、簡単洗浄器、ベッドの４つの機能を一つの車椅子に取り込み、簡単に使える介護機器は見当たらない。
【考案の開示】
【考案が解決しようとする課題】
【０００４】  歩行困難になった高齢者等においては、生きている根本である排泄に関わる事が最大の懸念事項である。介護福祉事業が行き届きつつあるが、介護される立場の者も、介護する立場の者も排泄にかかわる悩みは深く、なかなか解決されない。歩行困難になった高齢者等において、おむつをあてがうことは痴呆にも繋がる。歩行困難になった高齢者等が座ったまま緊急時に用が足せて、装置が簡単で、安全で、且つ、軽い睡眠までとれる機能を備えた車椅子は必要不可欠である。
【課題を解決しようとするための手段】
【０００５】  本考案は、車椅子の座部に洋式トイレの便座を設ける。その裏側に取り替えの出来るポリエチレン袋製汚物入れを装着する。左右の肘掛けに蛇腹式給湯ポンプを取り付け、その中に温湯を入れる。その給湯ポンプ先にステンレス管を連結する。蛇腹式給湯ポンプを圧縮して、温湯をステンレス管を通して噴射させ、洗浄に供する。車椅子の背当て部分を倒して軽い睡眠が取れる。このような多機能を一つの機器に備えた介護機器を提供する。
【考案の効果】
【０００６】  本考案の車椅子は歩行を補助する機能を備えている。設置したポータブルトイレは排泄を行える。簡単洗浄器は電源を要せず、手動で温湯を管を通して送れる。リクライニング背当ては後ろに倒し軽い睡眠が取れる。以上の４つの機能を果たせることは、緊急時における歩行困難な高齢者等においては安心感が持てる。
【考案を実施するための最良の形態】
【０００７】  車椅子の座部に洋式トイレの便座を設ける。通常はその上に蓋をして車椅子として座して使用する。蓋は取り外しの出来るはめ込み式とする。【０００８】  便座の裏側にポリエチレン袋製汚物入れを装着する。装着は車椅子の後ろ側からはめ込み、取り替えが出来る。ポリエチレン袋製汚物入れは使用毎に介護者が廃棄する。【０００９】  車椅子の左右の肘掛け部分にそれぞれ、ビニ−ル製の蛇腹式容器を設置する。その蛇腹式容器の上部に、温湯の入れ口を、その下部に温湯の噴出口を設け、簡単洗浄器用のビニ−ル製蛇腹式給湯ポンプとする。この蛇腹を圧縮して下部の噴出口に温湯を送る。【００１０】  蛇腹式給湯ポンプの噴出口にステンレス管を繋ぎ、温湯の噴出用通路とし、簡単洗浄器として作用し、温湯が噴出する。【００１１】  ステンレス管は、簡単洗浄器として使用時は便座の中心に移動させて作用する。【００１２】  ステンレス管は、簡単洗浄器として不使用時は便座下の見えない位置に移動させて汚れを避ける。【００１３】  ステンレス管の移動には蛇腹式給湯ポンプを握って移動させる。【００１４】  蛇腹式給湯ポンプは温湯を出しきった後は送風器にもなり、乾かすことに利用する。【００１５】  後部背当てに、はめ込み式の延長背当てを取り付け、後ろに倒し、寝る時の頭部とする。【００１６】  車椅子の足乗せ台を立て、はめ込み式の脚部を被せ、寝る時に足を乗せる。
【産業上の利用可能性】
【００１７】  歩行困難者は高齢社会の到来とともに増える。少しでも自立に近い状態で大小便をすぐさま処理できることは精神衛生上必要なことである。また、介護者の手数を少なくするためにも役に立つ。４つの機能を持った本考案の簡単洗浄器付きポータブルトイレ内臓リクライニング車椅子は利用可能性が大きい。
【図面の簡単な説明】
【図１】簡単洗浄器付きポータブルトイレ内臓リクライニング車椅子の前面図
【図２】簡単洗浄器付きポータブルトイレ内臓リクライニング車椅子の後面図
【図３】ポリエチレン袋製汚物入れ
【図４】リクライニング車椅子で寝る時の図
【符号の説明】
１  洋式トイレの便座
２  蛇腹式給湯ポンプ
３  ポリエチレン袋製汚物入れ
４  はめ込み式延長背当て
５  はめ込み式脚部
６  はめ込み式蓋付き座部
７  足乗せ台
【手続補正３】
【補正対象書類名】図面
【補正対象項目名】全図
【補正方法】変更
【補正の内容】
【図１】
0003128711.tif 000007
【図２】
0003128711.tif 000008
【図３】
0003128711.tif 000009
【図４】
0003128711.tif 000010